(57)【要約】【課題】モーメントによって予圧が抜けない回転装置を提供する。【解決手段】ハウジング１１と、ハウジング１１の内周に嵌合された環状の外輪４１と、外輪４１の内周側に配置された第１内輪５０および第２内輪６０と、第１内輪５０および第２内輪６０を連結する連結ボルト８３と、半径方向に延びるフランジ部２２および軸方向に延びる円筒部を有する回転部材２０と、フランジ部を第１内輪５０に接した状態で回転部材２０を取り付ける取り付けボルト８１とを備えた回転装置において、フランジ部２２に軸方向に第１挿通穴２４を形成し、第１内輪５０に軸方向に第２挿通穴５２を形成し、第２内輪６０にねじ穴６２を形成し、フランジ部２２を第１内輪５０に接した状態で、取り付けボルト８１を第１挿通穴２４および第２挿通穴５２に挿通し、取り付けボルト８１をねじ穴６２に螺合させた。【選択図】図１
2015172417.tif 000002
【特許請求の範囲】
【請求項１】
円筒状の内周を有するハウジングと、このハウジングの内周に嵌合された環状の外輪と、この外輪の内周側に配置された環状の第１内輪と、前記外輪の内周側に配置され、前記第１内輪に対して軸方向に隣り合わせで配置された第２内輪と、前記外輪および前記第１内輪間に円周方向に複数配置された第１転動体と、前記外輪および前記第２内輪間に円周方向に複数配置された第２転動体と、前記第１内輪および前記第２内輪を軸方向に連結する連結ボルトと、半径方向に延びるフランジ部を有し、このフランジ部に対して軸方向に延びる円筒部を有し、前記フランジ部を第１内輪の第２内輪と反対側の端面に接した状態で取り付けられる回転部材と、前記回転部材を取り付ける取り付けボルトとを備えた回転装置において、
前記フランジ部に前記取り付けボルトを軸方向に挿通する第１挿通穴を形成し、
前記第１内輪に前記第１挿通穴に対応する位置で前記取り付けボルトを軸方向に挿通する第２挿通穴を形成し、
前記第２内輪に前記第２挿通穴に対応する位置で前記取り付けボルトが螺合されるねじ穴を形成し、
前記フランジ部を第１内輪の第２内輪と反対側の端面に接した状態で、前記取り付けボルトを前記第１挿通穴および前記第２挿通穴に挿通し、前記取り付けボルトを前記ねじ穴に螺合させることによって、前記回転部材を前記第１内輪および前記第２内輪に取り付けたことを特徴とする回転装置。
【発明の詳細な説明】
【技術分野】
【０００１】
本発明は、回転装置に関する。
【背景技術】
【０００２】
医療装置の一つとして、ＣＴスキャナ装置がある。このものは、床に設置されたハウジングに対し転がり軸受を介して回転部材を水平軸線回りに回転可能に支持している。回転部材にＸ線を発生させるＸ線管装置およびＸ線を検出する検出装置が取り付けられている。
【０００３】
転がり軸受として、例えば特許文献１に示すようなものがあり、外輪の内周に、第１内輪および第２内輪が軸方向に隣り合わせで配置され、第１内輪および第２内輪を連結ボルトによって軸方向に連結している。
【先行技術文献】
【特許文献】
【０００４】
【特許文献１】特開２００６−２６６４５８号公報
【発明の概要】
【発明が解決しようとする課題】
【０００５】
ＣＴスキャナ装置において、転がり軸受に対する回転部材の取り付け構造として、多種多様にある。回転部材が、外径方向に延びるフランジ部と、このフランジ部に対して軸方向に延びる円筒部とを有する場合、フランジ部を第１内輪の第２内輪と反対側の端面に接した状態で、取り付けボルトをフランジ部の第１挿通穴に挿通し、取り付けボルトを第１内輪のねじ穴に螺合させることによって、回転部材を第１内輪に取り付ける取り付け構造がある。このものは、第１内輪に対して回転部材が軸方向にオーバハングしているため、回転部材、Ｘ線管装置および検出装置の重量によるモーメントが転がり軸受に作用する。モーメントが特に第１内輪に作用するので、上部側で第１内輪が第２内輪から離れる方向に変形し、予圧が抜け、回転部材を回転させたときに異音が発生しやすい。本発明は、上述した問題点を解決するためになされたもので、その目的とするところは、モーメントによって予圧が抜けない回転装置を提供することである。
【課題を解決するための手段】
【０００６】
請求項１は、円筒状の内周を有するハウジングと、このハウジングの内周に嵌合された環状の外輪と、この外輪の内周側に配置された環状の第１内輪と、前記外輪の内周側に配置され、前記第１内輪に対して軸方向に隣り合わせで配置された第２内輪と、前記外輪および前記第１内輪間に円周方向に複数配置された第１転動体と、前記外輪および前記第２内輪間に円周方向に複数配置された第２転動体と、前記第１内輪および前記第２内輪を軸方向に連結する連結ボルトと、半径方向に延びるフランジ部を有し、このフランジ部に対して軸方向に延びる円筒部を有し、前記フランジ部を第１内輪の第２内輪と反対側の端面に接した状態で取り付けられる回転部材と、前記回転部材を取り付ける取り付けボルトとを備えた回転装置において、前記フランジ部に前記取り付けボルトを軸方向に挿通する第１挿通穴を形成し、前記第１内輪に前記第１挿通穴に対応する位置で前記取り付けボルトを軸方向に挿通する第２挿通穴を形成し、前記第２内輪に前記第２挿通穴に対応する位置で前記取り付けボルトが螺合されるねじ穴を形成し、前記フランジ部を第１内輪の第２内輪と反対側の端面に接した状態で、前記取り付けボルトを前記第１挿通穴および前記第２挿通穴に挿通し、前記取り付けボルトを前記ねじ穴に螺合させることによって、前記回転部材を前記第１内輪および前記第２内輪に取り付けたことを特徴とするものである。
【発明の効果】
【０００７】
上述した構成によれば、取り付けボルトは、第１内輪を介して第２内輪に取り付けられているので、モーメントによって、第１内輪および第２内輪は、同方向に変形し、第２内輪に対して第１内輪が離れることがないので、モーメントによって予圧が抜けない回転装置を提供することができる。
【図面の簡単な説明】
【０００８】
【図１】本発明の一実施形態にかかる回転装置の縦断面図である。
【図２】本発明の一実施形態にかかる回転装置の第２取り付けボルトを含む断面図である。
【図３】本発明の一実施形態にかかる回転装置の連結ボルトを含む断面図である。
【図４】本発明の一実施形態にかかる図１のＡ−Ａ線断面図である。
【発明を実施するための形態】
【０００９】
本発明の一実施形態である回転装置１０を図１に基づいて説明する。回転装置１０は、円筒状の内周を有するハウジング１１と、このハウジング１１の内周に嵌合された玉軸受４０と、玉軸受４０の第１内輪５０の端面５１に接した状態で第１取り付けボルト８１を介して取り付けられる第１回転部材２０と、玉軸受４０の第２内輪６０の端面６１に接した状態で第２取り付けボルト８２を介して取り付けられる第２回転部材３０とを備えている。
【００１０】
回転装置１０は、医療装置の一つであるＣＴスキャナ装置の一装置である。このものは、床に設置されたハウジング１１に対し玉軸受４０を介して第１回転部材２０を水平軸線回りに回転可能に支持している。第１回転部材２０にＸ線を発生させる図略のＸ線管装置およびＸ線を検出する図略の検出装置が取り付けられている。第２回転部材３０に図略のベルトが掛けられ、図略の電動モータの回転動力がベルトを介して第２回転部材３０に伝達されるようになっている。
【００１１】
ハウジング１１は、床面に設置され、床面に対して上方向に延び、上方向の途中に円筒状の内周１２と、内周１２に対して内径方向に延びる段面１３を有する。内周１２の軸線は水平であり、段面１３は軸線と直角な面を有する。
【００１２】
玉軸受４０は、一つの外輪４１に、二つの内輪５０、６０を配置した２列タイプである。玉軸受４０は、鉛直軸線に対し傾斜した２つの接触角を持っている。一つは、第１内輪５０側の接触角であり、もう一つは第２内輪６０側の接触角である。第１内輪５０側の接触角は最上部で鉛直軸線に対して図１の時計回りに傾斜した角度であり、第２内輪６０側の接触角は最上部で鉛直軸線に対して図１の反時計回りに傾斜した角度である。玉軸受４０によって、ラジアル荷重、スラスト荷重およびモーメントを受けることができる。
【００１３】
図３に示すように玉軸受４０は、ハウジング１１の内周１２に嵌合された環状の外輪４１と、この外輪４１の内周側に配置された環状の第１内輪５０と、外輪４１の内周側に配置され、第１内輪５０に対して軸方向に隣り合わせで配置された第２内輪６０と、外輪４１および第１内輪５０間に円周方向に複数配置された第１玉７０と、第１玉７０を円周方向に等間隔に配置するとともに回転可能に保持する第１保持器７１と、外輪４１および第２内輪６０間に円周方向に複数配置された第２玉７５と、第２玉７５を円周方向に等間隔に配置するとともに回転可能に保持する第２保持器７６と、第１内輪５０および第２内輪６０間に介挿されたシム７８と、第１内輪５０および第２内輪６０をシム７８を介して軸方向に連結する連結ボルト８３とを備えている。
【００１４】
第１内輪５０の第２内輪６０と反対側の端面５１は、半径方向に延び、軸線と垂直な面を有している。第２内輪６０の第１内輪５０と反対側の端面６１は、半径方向に延び、軸線と垂直な面を有している。
【００１５】
図１に示すように外輪４１は、軸方向に短く、外径方向に突出する円盤状の鍔部４２を有している。鍔部４２の外周４３は円筒状を有し、鍔部４２の端面４４は外径方向に延び、軸線と垂直な面を有している。鍔部４２の外周４３はハウジング１１の内周１２に嵌合され、鍔部４２の端面４４はハウジング１１の段面１３に接している。こうした状態で、外輪４１は、固定ボルト８０を介してハウジング１１に固定されている。
【００１６】
固定ボルト８０を挿通し、螺合させるために、鍔部４２に軸方向に第４挿通穴４５を形成し、ハウジング１１に第４挿通穴４５に対応する位置で第３ねじ穴１４を形成する。ハウジング１１の内周１２に鍔部４２の外周４３を嵌合し、ハウジング１１の段面１３に鍔部４２の端面４４を接した状態で、固定ボルト８０を第４挿通穴４５に挿通し、固定ボルト８０を第３ねじ穴１４に螺合させることによって、外輪４１をハウジング１１に固定している。固定ボルト８０は、図４に示すように円周方向に等間隔に複数設けられている。
【００１７】
図３に示すように連結ボルト８３を挿通し、螺合させるために、第２内輪６０に軸方向に第５挿通穴６４を形成し、シム７８に第５挿通穴６４に対応する位置で挿通穴を形成し、第１内輪５０に第５挿通穴６４に対応する位置で第４ねじ穴５３を形成する。第１内輪５０の端面および第２内輪６０の端面がシム７８を介して接した状態で、連結ボルト８３を第５挿通穴６４に挿入し、シム７８の挿入穴に挿入し、連結ボルト８３を第４ねじ穴５３に螺合させることによって、第１内輪５０および第２内輪６０をシム７８を介して互いに連結している。
【００１８】
シム７８は、外輪４１、第１玉７０および第１内輪５０間の予圧、外輪４１、第２玉７５および第２内輪６０間の予圧を調整するのに使用される。厚さの異なる複数のシム７８を用意し、最適な予圧になるまで、シム７８の厚さを変える。シム７８の厚さが薄くなるにつれて、予圧が増加する傾向にある。
【００１９】
図１に示すように第１回転部材２０は、外径方向に延びる第１フランジ部２２と、この第１フランジ部２２の内径側で軸方向に延びる第１円筒部２１とを有する。第１フランジ部２２の第１内輪５０側の端面２３は半径方向に延び、軸線と垂直な面を有している。第１回転部材２０は、第１フランジ部２２の端面２３を第１内輪５０の端面５１に接した状態で第１取り付けボルト８１を介して第１内輪５０および第２内輪６０に取り付けられている。
【００２０】
第１取り付けボルト８１を挿通し、螺合させるために、第１フランジ部２２に軸方向に第１挿通穴２４を形成し、第１内輪５０に第１挿通穴２４に対応する位置で軸方向に第２挿通穴５２を形成し、シム７８に第２挿通穴５２に対応する挿通穴を形成し、第２内輪６０に第２挿通穴５２に対応する位置で第１ねじ穴６２を形成する。第１フランジ部２２を第１内輪５０の第２内輪６０と反対側の端面５１に接した状態で、第１取り付けボルト８１を第１挿通穴２４および第２挿通穴５２に挿通し、シム７８の挿通穴に挿通し、第１取り付けボルト８１を第１ねじ穴６２に螺合させることによって、第１回転部材２０を第１内輪５０および第２内輪６０に取り付けている。第１取り付けボルト８１は、図４に示すように円周方向に等間隔に複数設けられている。
【００２１】
図２に示すように第２回転部材３０は、外径方向に延びる第２フランジ部３２と、この第２フランジ部３２に対して第２内輪６０と反対側へ軸方向に延びる第２円筒部３１と、第２フランジ部３２に対して第２内輪６０側へ軸方向に延びる第３円筒部３３とを有する。第２フランジ部３２の第２内輪６０側の端面３５は半径方向に延び、軸線と垂直な面を有している。第３円筒部３３の外周３４は、円筒状を有している。第２回転部材３０は、第２フランジ部３２の端面３５を第２内輪６０の端面６１に接し、第３円筒部３３の外周３４を第２内輪６０の内周に嵌合させた状態で第２取り付けボルト８２を介して第２内輪６０に取り付けられている。
【００２２】
第２円筒部３１の外周には、プーリ溝３７が軸方向に複数形成されている。プーリ溝３７に図略のベルトが掛けられ、図略の電動モータの回転動力がベルトを介して第２回転部材３０に伝えられるようになっている。
【００２３】
第２取り付けボルト８２を挿通し、螺合させるために、第２フランジ部３２に軸方向に第３挿通穴３６を形成し、第２内輪６０に第３挿通穴３６に対応する位置で軸方向に第２ねじ穴６３を形成する。第２フランジ部３２の端面３５を第２内輪６０の端面６１に接した状態で、第２取り付けボルト８２を第３挿通穴３６に挿通し、第２取り付けボルト８２を第２ねじ穴６３に螺合させることによって、第２回転部材３０を第２内輪６０に取り付けている。第２取り付けボルト８２は、図４に示すように円周方向に等間隔に複数設けられている。
【００２４】
次に上述した構成にもとづいて、回転装置１０の組立て動作を説明する。
【００２５】
図１に示すように床面にハウジング１１を立設した状態で、外輪４１をハウジング１１の内周１２に挿入する。外輪４１の鍔部４２の外周４３が、ハウジング１１の内周１２に嵌合され、ハウジング１１の段面１３に鍔部４２の端面４４が接する。このような状態で、固定ボルト８０を第４挿通穴４５に挿通し、固定ボルト８０を第３ねじ穴１４に螺合させる。こうして、外輪４１をハウジング１１に固定する。外輪４１には、ハウジング１１の内周１２に挿入する前に、第１玉７０および第１保持器７１と、第２玉７５および第２保持器７６が予め組付けられている。
【００２６】
図３に示すように第１玉７０および第１保持器７１の内周に第１内輪５０を挿入し、第２玉７５および第２保持器７６に第２内輪６０を挿入する。このとき、第２内輪６０は、端面にシム７８を取り付けた状態で挿入する。このような状態で、連結ボルト８３を第５挿通穴６４に挿入し、シム７８の挿入穴に挿入し、連結ボルト８３を第４ねじ穴５３に螺合させる。こうして、第１内輪５０および第２内輪６０をシム７８を介して互いに連結する。
【００２７】
外輪４１に対し第１内輪５０および第２内輪６０を回転させ、回転トルクから外輪４１、第１玉７０および第１内輪５０間の予圧、外輪４１、第２玉７５および第２内輪６０間の予圧を把握する。予圧が最適になるまで、第２内輪６０を取り外し、シム７８を交換し、第２内輪６０を取り付ける作業を繰り返す。
【００２８】
予圧が最適になったら、第１回転部材２０を第１内輪５０側へ移動させ、第１内輪５０の端面５１に第１フランジ部２２の端面２３が接する。このような状態で、図１に示すように第１取り付けボルト８１を第１挿通穴２４および第２挿通穴５２に挿通し、シム７８の挿通穴に挿通し、第１取り付けボルト８１を第１ねじ穴６２に螺合させる。こうして、第１回転部材２０を第１内輪５０および第２内輪６０に取り付ける。
【００２９】
第２回転部材３０を第２内輪６０側へ移動させ、第２内輪６０の端面６１に第２フランジ部３２の端面３５が接する。このような状態で、図４に示すように第２取り付けボルト８２を第３挿通穴３６に挿通し、第２取り付けボルト８２を第２ねじ穴６３に螺合させる。こうして、第２回転部材３０を第２内輪６０に取り付ける。
【００３０】
第２回転部材３０には、Ｘ線を発生させる図略のＸ線管装置およびＸ線を検出する図略の検出装置が取り付けられる。第２回転部材３０のプーリ溝３７および図略の電動モータの駆動プーリに図略のベルトが掛けられる。
【００３１】
第１内輪５０に対し第１回転部材２０が軸方向にオーバハングし、第１回転部材、Ｘ線管装置および検出装置の重量によるモーメントが第１内輪５０および第２内輪６０に作用する。モーメントによって第１内輪５０および第２内輪６０が、上部で同一方向に変形し、第１内輪５０および第２内輪６０が互いに離れることが無いので、外輪４１、第１玉７０および第２内輪６０間の予圧、外輪４１、第２玉７５および第２内輪６０間の予圧が抜けることがない。
【００３２】
電動モータの駆動により、ベルトを介して第２回転部材３０、第１回転部材２０、第１内輪５０および第２内輪６０が回転する。このとき、予圧抜けがないので、異音が発生しない。
【００３３】
本発明はこうした実施形態に何等限定されるものではなく、本発明の要旨を逸脱しない範囲において、種々なる態様で実施し得ることは勿論である。
【００３４】
上述した実施形態は、第１円筒部２１の一端で第１フランジ部２２が外径方向に延びている第１回転部材を適用した。他の実施形態として、第１円筒部の一端で第１フランジ部が内径方向に延びている第１回転部材を適用しても良い。この場合、第１フランジ部が外輪に接触しないように、外輪に対して第１内輪を軸方向に突出させる必要がある。
【００３５】
上述した実施形態は、第１転動体として球状の第１玉７０を適用し、第２転動体として球状の第２玉７５を適用した。他の実施形態として、第１転動体として円すい状の第１円すいころを適用し、第２転動体として円すい状の第２円すいころを適用しても良い。
【符号の説明】
【００３６】
１１：ハウジング、２０：第１回転部材（回転部材）、２１：第１円筒部（円筒部）、２２：第１フランジ部（フランジ部）、２３：端面、２４：第１挿通穴、４１：外輪、５０：第１内輪、５１：端面、５２：第２挿通穴、６０：第２内輪、６２：第１ねじ穴（ねじ穴）、７０：第１玉（第１転動体）、７５：第２玉（第２転動体）、８１：第１取り付けボルト（取り付けボルト）
【図１】
2015172417.tif 000003
【図２】
2015172417.tif 000004
【図３】
2015172417.tif 000005
【図４】
2015172417.tif 000006